(57)【要約】      （修正有）【課題】  圧力センサーにより、（１）重量物を持ち上げる（２）重量物を引きずる（３）ケーブルを切断するといった異常状態を検出し、極めて簡単な方法で、安価で誤動作の少ない、且つ視覚的な抑止効果を有する警報装置を提供する。【解決手段】  一定の重量を有する重量物と、上記重量物の少なくとも一つの面に取り付けられた圧力センサーと、上記圧力センサーの出力値を伝達するためのケーブルと、上記重量物の自重による圧力で生じた上記圧力センサーの出力値を記憶するための記憶手段と、上記記憶手段に記憶された上記圧力センサーの出力値と現在の上記圧力センサーの出力値を比較し、上記圧力センサーの出力値の変化を検出するための比較検出手段と、上記比較検出手段によって上記圧力センサーの圧力変化が検出されたときに異常事態の発生を通報する通報手段とを備える。【選択図】図１
2006127436.tif 000002
【特許請求の範囲】
【請求項１】
一定の重量を有する重量物と、上記重量物の少なくとも一つの面に取り付けられた圧力センサーと、上記圧力センサーの出力値を伝達するためのケーブルと、上記重量物の自重による圧力で生じた上記圧力センサーの出力値を記憶するための記憶手段と、上記記憶手段に記憶された上記圧力センサーの出力値と現在の上記圧力センサーの出力値を比較し、上記圧力センサーの出力値の変化を検出するための比較検出手段と、上記比較検出手段によって上記圧力センサーの圧力変化が検出されたときに異常事態の発生を通報する通報手段とを備えたことを特徴とする警報装置。
【発明の詳細な説明】
【技術分野】
【０００１】  本発明は、盗難防止等を目的とする警報装置に関するものであり、特に自動車本体の盗難防止のための警報装置に関するものである。
【背景技術】
【０００２】  近年、警報装置は、盗難防止用や不法侵入防止用、緊急呼び出し用、あるいは暴漢撃退用のものなど多種多様のものがあり、社会が複雑化するにつれて、ますますその需要が広がってきている。
特に、自動車本体の盗難防止を目的とした警報装置は、特にその需要が多いために各種のものが市販されている。【０００３】  以下、図面を参照しながら、上述した従来の警報装置について説明する。
図４は、従来の警報装置の一例で、振動センサーを利用した警報装置のブロック図を示すものである。【０００４】  図４において、１３は振動センサーで、盗難の被害を受けようとする自動車に振動が与えられた場合にその振動を検知する。１０は警報音発生器で、前記振動センサー１３が振動を検知すると、警報音信号を発生させる。１１はスピーカで、警報音発生器１０の信号を音響に変換する。【０００５】  以上のように構成された警報装置について、以下その動作について説明する。
まず、自動車本体の窃盗を企てる人物（以後加害者と称す）が自動車のドア等を破壊して自動車の内部に侵入したとする。この場合、ドアを破壊した時の振動、加害者が車内に侵入した時の振動、加害者がドアを閉じた場合の振動などで、振動センサー１３が作動する。振動センサー１３が作動すると、警報音発生器１０から警報音信号が発生し、スピーカ１１から警告音が大音響となって発生する。【０００６】  このような場合、加害者は大音響の警報音に驚愕し、盗もうとした自動車を放置して逃走するのが常である。このようにして、振動センサーを用いた警報装置は、自動車の盗難を防止している。
【発明の開示】
【発明が解決しようとする課題】
【０００７】  しかしながら上記のような構成では、振動センサーが盗難によるものではない振動で誤動作した場合でも警告音を発してしまう。例えば、自動車が強風や豪雨、暴風雨にさらされた場合、地震の場合、線路の付近や橋の上に駐車した場合、路面工事の付近に駐車した場合などで、加害者が窃盗を企てる場合以外にも様々な振動で、警報装置を誤動作させる場合が多い。【０００８】  従って、盗難の被害がないのにもかかわらず誤動作のために突然警報装置が鳴り出して、付近の人々に誤解を与えたり、深夜での誤動作で周囲に迷惑をかける場合も多いという問題を有していた。【０００９】  また、このような誤動作を防止するためには、振動の種類を解析して振動モードを複雑な演算により検出するという方法である程度は正確な判定が可能であるが、警報装置そのものが複雑且つ高価になるという問題点を有していた。【００１０】  さらに、振動センサーを含む警報装置が自動車の内部に設置されているため加害者が自動車に警報装置が設備されていることを知らずにドアを破壊し、その時点で警報が発せられるので結果的にドアの破壊等の被害を被るという問題点を有していた。【００１１】  本発明は上記問題点を解決し、圧力センサーを重量物の少なくとも一つの面に取り付け、圧力センサーに重量物の自重が加わるような姿勢で重量物を地面に放置し、このときの圧力とその後の圧力を比較することで異常状態を検出するという極めて簡単な方法により、安価で、誤動作が少なく、且つ視覚的な抑止効果を有する警報装置を提供することにある。
【課題を解決するための手段】
【００１２】  上記問題点を解決するために本発明の警報装置は、一定の重量を有する重量物と、上記重量物の少なくとも一つの面に取り付けられた圧力センサーと、上記圧力センサーの出力値を伝達するためのケーブルと、上記重量物の自重による圧力で生じた上記圧力センサーの出力値を記憶するための記憶手段と、上記記憶手段に記憶された上記圧力センサーの出力値と現在の上記圧力センサーの出力値を比較し、上記圧力センサーの出力値の変化を検出するための比較検出手段と、上記比較検出手段によって上記圧力センサーの圧力変化が検出されたときに異常事態の発生を通報する通報手段とを備えたことを特徴とする。
【発明の効果】
【００１３】  本発明の警報装置は、上記した構成によって、
（１）重量物を持ち上げる
（２）重量物を引きずる
（３）ケーブルを切断する
といった異常行為で変化する出力値を、圧力センサーに重量物の自重が加わるような姿勢で重量物を地面に放置したときの出力値と比較することで異常状態を検出するので、極めて簡単な方法で、安価で誤動作が少なく、且つ視覚的な抑止効果を有する警報装置を提供することが出来る。
【発明を実施するための最良の形態】
【００１４】  以下本発明に係るの実施形態について、図面を参照して説明する。
なお、同様の構成要素については同一の符号を付している。
【実施例】  図１は本発明の実施例の警報装置のブロック図、図２は本発明の実施例における重量物に圧力センサーを取り付けた状態を示す圧力センサー取付図である。また図３は本発明の実施例における警報装置の重量物と圧力センサーを自動車に設備した場合の設置概略図である。【００１５】  図２において、１は一定の重量を有する重量物、いわゆる「重り」である。２は圧力センサーで、上記重量物２の底面に貼り付けられている。３は圧力センサー２の出力用のケーブルである。【００１６】  次に、図２における重量物１、圧力センサー２及びケーブル３を使用して警報装置を構成した場合のブロック図を図１に示す。【００１７】  図１において１、２及び３は図２における重量物１、圧力センサー２及びケーブル３である。図１において圧力センサー２は可変抵抗として表示しており、圧力が高い場合には抵抗値が低く、圧力が低い場合には抵抗値が高くなるものとする。【００１８】  圧力センサー２はケーブル３を経由して抵抗５に接続されている。４は直流電源端子で、圧力センサーの抵抗値を電圧に変換するための電源を供給する。６はスイッチで、スイッチ６の共通接点ｃは上記抵抗５と圧力センサー２の接続点に接続されている。【００１９】  直流電源端子４から供給される電流は抵抗５及びケーブル３を経由して圧力センサー２に流れ、ケーブル３を経由してアースに流れる。圧力センサー２に与えられる圧力が高い場合には圧力センサー２の抵抗値が小さくなるので電圧降下が小さくなり、スイッチ６の共通接点ｃの電位は下がる。また圧力センサー２に与えられる圧力が低い場合には圧力センサー２の抵抗値が大きくなるので電圧降下も大きくなり、スイッチ６の共通接点ｃの電位は上がる。このようにスイッチ６の共通接点ｃの電位は圧力センサー２に与えられる圧力に応じて変化する。７はコンデンサでスイッチ６の接点ａに接続されている。【００２０】  ８は比較検出手段で２個の入力ａ及びｂを有し、比較検出手段８の入力ａはスイッチ６の接点ａに、また比較検出手段８の入力ｂはスイッチ６の接点ｂにそれぞれ接続されている。比較検出手段８は２個の入力ａ及びｂに印加される電圧に差が生じた場合に警報信号を出力する。【００２１】  ９はスイッチで、スイッチ９の共通端子ｃは比較検出手段８の出力に接続されている。またスイッチ９は前記スイッチ６と連動しており、スイッチ６が接点ａに接続された場合にはスイッチ９も接点ａに接続され、スイッチ６が接点ｂに接続された場合にはスイッチ９も接点ｂに接続される。スイッチ９の接点ａは開放状態でどこにも接続されない。【００２１】  １０は警告音発生器で、警告音発生器１０の入力はスイッチ９の接点ｂに接続されている。スイッチ９が接点ｂに接続された状態において上記比較検出手段８が警報信号を出力すると、警告音信号を発生させる。１１はスピーカで、警告音発生装置１０の信号を音響に変換する。【００２２】  以上のように構成された警報装置について、以下図１、図２及び図３を用いてその動作を説明する。【００２３】  図１において、静止状態の重量物１は自重が圧力センサー２に加えられるように置かれているものとする。即ち、圧力センサー２は重量物１と地面との間に挟まれている��となっている。またスイッチ６は接点ａに接続されているものとする。従って、スイッチ６に連動してスイッチ９も接点ａに接続されている。【００２４】  この状態では、圧力センサー２に重量物１の自重が圧力として加えられているので圧力センサー２の抵抗値はこの圧力に相当する値となる。従って、スイッチ６の共通端子ｃにはある値の電位が生じる。このときの電位を基準電圧Ｖｒとする。【００２５】  またスイッチ６は接点ａに接続されているのでコンデンサ７には電荷が充電されており、コンデンサ７の両端の電圧は基準電圧Ｖｒになっている。【００２６】  次に、スイッチ６を接点ｂに接続する。このときスイッチ６の共通接点ｃの電位は変化しないので比較検出手段の入力端子ｂには基準電圧と同じ電圧Ｖｒが印加されている。従って、比較検出手段８の入力端子ａ及びｂの電圧には差がないので比較検出手段８は警報信号を出力しない。この状態でスイッチ６に連動してスイッチ９も接点ｂに接続されるが、比較検出手段８が警報信号を出力しないので、警報音発生器には信号が入力されない。従って、スピーカが警報音を発することはない。【００２７】  次に、スイッチ６を接点ｂに接続した状態において、
（１）重量物１を持ち上げた場合
（２）重量物１を引きずった場合
（３）ケーブル３を切断した場合
のそれぞれについて説明する。【００２８】  まず、重量物１を持ち上げた場合について説明する。重量物１を持ち上げると重量物１の自重がセンサーに加わらなくなるので圧力センサー２の抵抗値は著しく増加する。従って、スイッチ６の共通接点ｃの電圧は上昇し、比較検出手段８の入力端子ｂの電圧が上昇する。
比較検出手段８の入力ａはコンデンサ７に充電された電荷により基準電圧Ｖｒに一定に保たれているので、比較検出手段８の入力端子ａ及びｂの入力電圧に差が生じるので比較検出手段８は警報信号を出力する。このときスイッチ９はスイッチ６に連動して接点ｂに接続されているので比較検出手段８が出力した警報信号はスイッチ９を経由して警報音発生器に入力され、スピーカ１０から警報音が音響として発生する。【００２９】  次に重量物１を引きずった場合について説明する。重量物１を引きずった場合に、もしも重量物１が反転すれば、当然のことながら圧力センサー２には重量物１の自重がかからなくなるので持ち上げた場合と全く同様の動作となり、警報音が発生する。しかし、反転しない場合でも圧力センサー２の取り付け面が地面に接した状態で引きずられると、重量物１の自重と地面の凸凹により圧力センサー２に加わる圧力は著しく変動する。従って、コンデンサ７の両端電圧Ｖｒに対してスイッチ６の共通接点ｃの電圧は著しく変動する。スイッチ６は接点ｂに接続されているので比較検出手段８の入力端子ｂの電圧も著しく変動し、大きくなったり小さくなったりするが、その都度比較検出手段８の入力端子ａ及びｂの入力電圧に差が生じるので比較検出手段８は警報信号を出力する。このときスイッチ９はスイッチ６に連動して接点ｂに接続されているので比較検出手段８が出力した警報信号はスイッチ９を経由して警報音発生器に入力され、スピーカ１０から警報音が音響として発生する。【００３０】  次に、ケーブル３を切断した場合について説明する。ケーブル３を切断した場合には圧力センサー２に電流が流れなくなるのでスイッチ６の共通端子ｃには直流電源端子４の電圧がそのまま印加される。この電圧はコンデンサ７の両端の電圧Ｖｒより著しく大きい。従って比較検出手段８の入力端子ａ及びｂの入力電圧に差が生じるので比較検出手段８は警報信号を出力する。このときスイッチ９はスイッチ６に連動して接点ｂに接続されているので比較検出手段８が出力した警報信号はスイッチ９を経由して警報音発生器に入力され、スピーカ１０から警報音が音響として発生する。【００３１】即ち、
（１）重量物１を持ち上げる
（２）重量物１を引きずる
（３）ケーブル３を切断する
という行為を行えば、必ず警報信号が発せされることになる。【００３２】  次に図３は本発明の実施例における警報装置の重量物と圧力センサーを自動車に設備した場合の設置概略図であって、１２は自動車、１、２及び３はそれぞれ図１及び図２における重量物１、圧力センサー２、ケーブル３である。重量物１、圧力センサー２、ケーブル３以外の部分は、自動車内部にあって、加害者が容易に取り外すことが出来ないように装備されているものとする。【００３３】  図３において、加害者が自動車の窃盗を行う場合には、
（１）重量物１を車内に収納して自動車１２を運び去る、若しくは運転して移動する。
（２）重量物１をそのまま引きずって自動車１２を運び去る、若しくは運転して移動する。
（３）ケーブル３を切断して自動車１２を運び去る。、若しくは運転して移動する。
のいずれかの方法をとらなければならない。【００３４】  しかしながら、
（１）加害者が重量物１を車内に収納する場合には、重量物１を持ち上げる必要がある。
（２）加害者が重量物１をそのままにして自動車を移動させると重量物は引きずられる。
（３）加害者が重量物１を持ち上げることも引きずることもせずに自動車１２を移動させるにはケーブルを切断しなければならない。【００３５】  従って、いずれの方法においても、圧力センサー２に著しい圧力変化が生じるか、若しくは圧力センサーの出力がゼロになるため、基準電圧Ｖｒに対して電圧が大きく変化することになる。従って、異常状態を確実に検出することが出来る。【００３６】  更に図３において、自動車１２からケーブル３につながれた重量物１が外部に露出しており、いわゆる「仕掛け」が設備されていることが視覚的に容易に認知できるので、加害者に自動車１２の窃盗を断念させるための大きな抑止効果を得ることが出来る。【００３７】  即ち、
（１）重量物を持ち上げる
（２）重量物を引きずる
（３）ケーブルを切断する
といった異常行為で変化する電圧値を、圧力センサーに重量物の自重が加わるような姿勢で重量物を地面に放置したときの電圧値と比較することで異常状態を検出するので、極めて簡単な方法で、安価で誤動作が少なく、且つ視覚的な抑止効果を有する警報装置を提供することが出来る。【００３８】  以上のように本実施の形態によれば、一定の重量を有する重量物と、上記重量物の少なくとも一つの面に取り付けられた圧力センサーと、上記圧力センサーの出力値を伝達するためのケーブルと、上記重量物の自重による圧力で生じた上記圧力センサーの出力値を記憶するための記憶手段と、上記記憶手段に記憶された上記圧力センサーの出力値と現在の上記圧力センサーの出力値を比較し、上記圧力センサーの出力値の変化を検出するための比較検出手段と、上記比較検出手段によって上記圧力センサーの圧力変化が検出されたときに異常事態の発生を通報する通報手段とを設けることにより、（１）重量物を持ち上げる（２）重量物を引きずる（３）ケーブルを切断するといった異常行為で変化する出力値を、圧力センサーに重量物の自重が加わるような姿勢で重量物を地面に放置したときの出力値と比較することで異常状態を検出するので、極めて簡単な方法で、安価で誤動作が少なく、且つ視覚的な抑止効果を有する警報装置を提供することが出来る。【００３９】  なお実施例においては、圧力センサーの出力値をコンデンサの電圧で記憶するという方法を用いているが、実施例におけるスイッチ６の共通接点ｃの電圧をＡＤ変換したデジタル値としてメモリーに記憶し、マイクロプロセッサのプログラムにより比較検出ことも可能である。【００４０】  また、実施例においては、圧力センサーは重量物の片面だけに装備しているが、重量物の両面に装備すれば、重量物を地面に置く場合に表裏を意識する必要がなくなるので更に利便性を増すことは言うまでもない。更に多面体の各面に圧力センサーを装備しても同様の効果が得られる。【００４１】  さらに、実施例において、ケーブル３は着脱できないものとして説明したが、重量物１に取り付けた圧力センサーは屋外に放置するため傷、汚れ、磨耗等による性能劣化が生じやすい。従って、ケーブル３に着脱可能な接続手段を設ければ、圧力センサー２が劣化した場合に容易に交換できるので、さらに利便性を増すことは言うまでもない。【００４２】  加えて、実施例では異常状態が発生した場合には警報音発生器が発生する警報音によって異常状態を警報するものとしたが、警報音の代わりに
（１）光などの視覚的手段で警報を出す。
（２）無線電波によって遠隔地へ警報信号を送信する。
（３）無線又は有線の公衆通信回線網を経由して警報を通報する。
というような方法であれば更に通報の範囲を広げることが出来る。【００４３】  また実施例では、自動車の盗難を防止する方法について説明したが、自動車のみならず自動二輪車等でも同様の効果を得ることが出来る。
【図面の簡単な説明】
【００４４】
【図１】本発明の実施形態を示す警報装置のブロック図
【図２】同警報装置の圧力センサー取付図
【図３】同警報装置の設置概略図
【図４】従来の警報装置のブロック図
【符号の説明】
【００４５】１  重量物
２  圧力センサー
３  ケーブル
７  コンデンサ（記憶手段）
８  比較検出手段
１０  警報音発生器
１１  スピーカ
【図１】
2006127436.tif 000003
【図２】
2006127436.tif 000004
【図３】
2006127436.tif 000005
【図４】
2006127436.tif 000006